(57)【要約】【課題】ステイプルや糊付け等で直接出力紙を損傷することなく、出力紙を束としてまとめて出力束を容易に扱うことが可能な後処理装置を備えた画像形成システムを提供すること。【解決手段】画像データに基づきシートに画像形成を行う画像形成手段と、画像形成されたシートを束にまとめる整合手段と、シートを略半分に折る半折り手段と、整合手段によってまとめられたシート束の厚さを検出するシート束厚検出手段と、半折り手段によって折られたシートの折った辺に隣接する一辺を留めてホルダーシートを作成するホルダーシート作成手段と、シート束より少なくとも一辺の長さが長い第２のサイズのシートでシート束を包む包み手段と、シート束厚検出手段によって検出されたシート束の厚さに応じて前記包み手段を制御する制御手段と、整合手段によってまとめられたシート束を前記ホルダーシートで包むように制御する制御手段と、を備える。【選択図】図２
2007119085.tif 000002
【特許請求の範囲】
【請求項１】
画像データに基づきシートに画像形成を行う画像形成手段と、
画像形成されたシートを束にまとめる整合手段と、
シートを略半分に折る半折り手段と、
整合手段によってまとめられたシート束の厚さを検出するシート束厚検出手段と、
半折り手段によって折られたシートの折った辺に隣接する一辺を留めてホルダーシートを作成するホルダーシート作成手段と、
シート束より少なくとも一辺の長さが長い第２のサイズのシートでシート束を包む包み手段と、
シート束厚検出手段によって検出されたシート束の厚さに応じて前記包み手段を制御する制御手段と、
整合手段によってまとめられたシート束を前記ホルダーシートで包むように制御する制御手段と、
を備えたことを特徴とする後処理装置を備えた画像形成システム。
【請求項２】
前記第２のサイズのシートにおけるシート束より長さが長い一辺は、シート束の長さの２倍以上であるホルダーシートの開口部をシート搬送方向と逆方向に向けて排出することを特徴とする請求項１記載の後処理装置を備えた画像形成システム。
【請求項３】
前記包み手段によって前記第２のシートが包まれた時に生じる重なりを留める留め手段ホルダーシート作成手段は、半折り手段によって折られたシートの折った辺に隣接する一辺をステイプル留めを有することを特徴とする請求項２記載の後処理装置を備えた画像形成システム。
【請求項４】
前記留め手段は糊付けを行うことを特徴とする請求項３記載の処理装置を備えた画像形成システム。
【請求項５】
前記第２のサイズのシートにおけるシート束より長さが長い一辺がシート束の長さの２倍以上ない場合は、第３のシートを更に重ねて留めることを特徴とする請求項１記載の処理装置を備えた画像形成システム。
【発明の詳細な説明】
【技術分野】
【０００１】
本発明は、複写機、レーザービームプリンタ等の画像形成装置等に用いられるシート処理装置に関する。
【背景技術】
【０００２】
従来、複写機等の画像形成装置において、出力紙を束としてまとめる方法として、ステイプルや製本中綴じ、グルー等の機能が用いられている。これらは、出力紙に直接ステイプルや糊付けを行う方法である（例えば、特許文献１参照）。
【０００３】
又、出力紙の束としての切れ目を明確にする手法として、仕切り紙等のシートを挿入する方法がある。これは、仕切り紙に色紙を用いたり、出力紙と同じシートを用いる場合は、仕切り紙をオフセットして積載したりする方法である。
【特許文献１】特開平１０−１８１９８１号公報
【発明の開示】
【発明が解決しようとする課題】
【０００４】
ステイプルや製本中綴じ、グルー等の機能では、出力紙に直接ステイプルや糊付けを行うため、ポスターやレントゲン画像等、出力紙を損傷したくない場合には用いることができない。又、仕切り紙を挿入する方法では、色紙等の専用のシートを用意しなければならず、又、出力紙を束として扱うことも容易ではない。
【０００５】
本発明は、ステイプルや糊付け等で直接出力紙を損傷することなく、出力紙を束としてまとめて出力束を容易に扱うことが可能な後処理装置を備えた画像形成システムを提供することを目的とする。
【課題を解決するための手段】
【０００６】
上記目的を達成するため、請求項１記載の発明は、画像データに基づきシートに画像形成を行う画像形成手段と、画像形成されたシートを束にまとめる整合手段と、シートを略半分に折る半折り手段と、整合手段によってまとめられたシート束の厚さを検出するシート束厚検出手段と、半折り手段によって折られたシートの折った辺に隣接する一辺を留めてホルダーシートを作成するホルダーシート作成手段と、シート束より少なくとも一辺の長さが長い第２のサイズのシートでシート束を包む包み手段と、シート束厚検出手段によって検出されたシート束の厚さに応じて前記包み手段を制御する制御手段と、整合手段によってまとめられたシート束を前記ホルダーシートで包むように制御する制御手段と、を備えたことを特徴とする。
【０００７】
請求項２記載の発明は、請求項１記載の発明において、前記第２のサイズのシートにおけるシート束より長さが長い一辺は、シート束の長さの２倍以上であるホルダーシートの開口部をシート搬送方向と逆方向に向けて排出することを特徴とする。
【０００８】
請求項３記載の発明は、請求項１記載の発明において、前記包み手段によって前記第２のシートが包まれた時に生じる重なりを留める留め手段ホルダーシート作成手段は、半折り手段によって折られたシートの折った辺に隣接する一辺をステイプル留めを有することを特徴とする。
【０００９】
請求項４記載の発明は、請求項３記載の発明において、前記留め手段は糊付けを行うことを特徴とする。
【００１０】
請求項５記載の発明は、請求項１記載の発明において、前記第２のサイズのシートにおけるシート束より長さが長い一辺がシート束の長さの２倍以上ない場合は、第３のシートを更に重ねて留めることを特徴とする。
【発明の効果】
【００１１】
本発明によれば、ステイプルや糊付け等で直接出力紙を損傷することなく、出力紙を束としてまとめて出力束を容易に扱うことが可能となる。
【発明を実施するための最良の形態】
【００１２】
以下に本発明の実施の形態について図を参照しながら説明する。
【００１３】
＜実施の形態１＞
（全体構成）
図１は本発明の画像形成装置の実施の一形態の主要部構成を示す縦断面図である。
【００１４】
画像形成装置は、図１に示すように、画像形成装置本体１０と、フィニッシャ５００とから構成され、画像形成装置本体１０は原稿画像を読み取るイメージリーダ２００及びプリンタ３００を備えている。
【００１５】
イメージリーダ２００には、原稿給送装置１００が搭載されている。原稿給送装置１００は、原稿トレイ上に上向きにセットされた原稿を先頭頁から順に１枚ずつ左方向へ給紙し、湾曲したパスを介してプラテンガラス１０２上を左から流し読取り位置を経て右へ搬送し、その後外部の排紙トレイ１１２に向けて排出する。この原稿がプラテンガラス１０２上の流し読取り位置を左から右へ向けて通過するときに、この原稿画像は流し読取り位置に対応する位置に保持されたスキャナユニット１０４により読み取られる。この読取り方法は、一般的に、原稿流し読みと呼ばれる方法である。
【００１６】
具体的には、原稿が流し読取り位置を通過する際に、原稿の読取り面がスキャナユニット１０４のランプ１０３の光で照射され、その原稿からの反射光がミラー１０５，１０６，１０７を介してレンズ１０８に導かれる。このレンズ１０８を通過した光は、イメージセンサ１０９の撮像面に結像する。
【００１７】
このように流し読取り位置を左から右へ通過するように原稿を搬送することによって、原稿の搬送方向に対して直交する方向を主走査方向とし、搬送方向を副走査方向とする原稿読取り走査が行われる。即ち、原稿が流し読取り位置を通過する際に主走査方向に原稿画像を１ライン毎にイメージセンサ１０９で読み取りながら、原稿を副走査方向に搬送することによって原稿画像全体の読取りが行われ、光学的に読み取られた画像はイメージセンサ１０９によって画像データに変換されて出力される。イメージセンサ１０９から出力された画像データは、後述する画像信号制御部２０２において所定の処理が施された後にプリンタ３００の露光制御部１１０にビデオ信号として入力される。
【００１８】
尚、原稿給送装置１００により原稿をプラテンガラス１０２上に搬送して所定位置に停止させ、この状態でスキャナユニット１０４を左から右へ走査させることにより原稿を読み取ることも可能である。この読取り方法は、いわゆる原稿固定読みと呼ばれる方法である。
【００１９】
原稿給送装置１００を使用しないで原稿を読み取るときには、先ず、ユーザにより原稿給送装置１００を持ち上げてプラテンガラス１０２上に原稿を載置し、そして、スキャナユニット１０４を左から右へ走査させることにより原稿の読取りを行う。即ち、原稿給送装置１００を使用しないで原稿を読み取るときには、原稿固定読みが行われる。
【００２０】
プリンタ３００の露光制御部１１０は、入力されたビデオ信号に基づきレーザ光を変調して出力し、該レーザ光はポリゴンミラー１１０ａにより走査されながら感光ドラム１１１上に照射される。感光ドラム１１１には走査されたレーザ光に応じた静電潜像が形成される。ここで、露光制御部１１０は、後述するように、原稿固定読み時には、正しい画像（鏡像でない画像）が形成されるようにレーザ光を出力する。
【００２１】
この感光ドラム１１１上の静電潜像は、現像器１１３から供給される現像剤によって現像剤像として可視像化される。又、レーザ光の照射開始と同期したタイミングで、各カセット１１４，１１５、手差給紙部１２５又は両面搬送パス１２４から用紙が給紙され、この用紙は、感光ドラム１１１と転写部１１６との間に搬送される。感光ドラム１１１に形成された現像剤像は、転写部１１６により給紙された用紙上に転写される。
【００２２】
現像剤像が転写された用紙は、定着部１１７に搬送され、定着部１１７は、用紙を熱圧することによって現像剤像を用紙上に定着させる。定着部１１７を通過した用紙は、フラッパ１２１及び排出ローラ１１８を経てプリンタ３００から外部（フィニッシャ５００）に向けて排出される。
【００２３】
ここで、用紙をその画像形成面が下向きになる状態（フェイスダウン）で排出するときには、定着部１１７を通過した用紙をフラッパ１２１の切換動作により一旦反転パス１２２内に導き、その用紙の後端がフラッパ１２１を通過した後に、用紙をスイッチバックさせて排出ローラ１１８によりプリンタ３００から排出する。以下、この排紙形態を反転排紙と呼ぶ。この反転排紙は、原稿給送装置１００を使用して読み取った画像を形成するとき又はコンピュータから出力された画像を形成するとき等のように先頭頁から順に画像形成するときに行われ、その排紙後の用紙順序は正しい頁順になる。
【００２４】
又、手差給紙部１２５からＯＨＰシート等の硬い用紙が給紙され、この用紙に画像を形成するときには、用紙を反転パス１２２に導くことなく、画像形成面を上向きにした状態（フェイスアップ）で排出ローラ１１８により排出する。
【００２５】
更に、用紙の両面に画像形成を行う両面記録が設定されている場合には、フラッパ１２１の切換動作により用紙を反転パス１２２に導いた後に両面搬送パス１２４へ搬送し、両面搬送パス１２４へ導かれた用紙を上述したタイミングで感光ドラム１１１と転写部１１６との間に再度給紙する制御が行われる。
【００２６】
プリンタ３００から排出された用紙は、フィニッシャ５００に送られる。フィニッシャ５００では、綴じ処理等の各処理を行う。
（システムブロック図）
次に、本画像形成装置全体の制御を司るコントローラの構成について図２を参照しながら説明する。図２は図１の画像形成装置全体の制御を司るコントローラの構成を示すブロック図である。
【００２７】
コントローラは、図２に示すように、ＣＰＵ回路部１５０を有し、ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック１０１，２０１，２０２，２０９，３０１，４０１，５０１を総括的に制御する。ＲＡＭ１５２は、制御データを一時的に保持し、又、制御に伴う演算処理の作業領域として用いられる。
【００２８】
原稿給送装置制御部１０１は、原稿給送装置１００をＣＰＵ回路部１５０からの指示に基づき駆動制御する。イメージリーダ制御部２０１は、上述のスキャナユニット１０４、イメージセンサ１０９等に対する駆動制御を行い、イメージセンサ１０９から出力されたアナログ画像信号を画像信号制御部２０２に転送する。
【００２９】
画像信号制御部２０２は、イメージセンサ１０９からのアナログ画像信号をデジタル信号に変換した後に各処理を施し、このデジタル信号をビデオ信号に変換してプリンタ制御部３０１に出力する。又、コンピュータ２１０から外部Ｉ／Ｆ２０９を介して入力されたデジタル画像信号に各種処理を施し、このデジタル画像信号をビデオ信号に変換してプリンタ制御部３０１に出力する。この画像信号制御部２０２による処理動作は、ＣＰＵ回路部１５０により制御される。プリンタ制御部３０１は、入力されたビデオ信号に基づき上述の露光制御部１１０を駆動する。
【００３０】
操作表示装置制御部４０１は、操作表示装置４００とＣＰＵ回路部１５０との間で情報のやり取りを行う。操作表示装置４００は、画像形成に関する各種機能を設定する複数のキー、設定状態を示す情報を表示するための表示部等を有し、各キーの操作に対応するキー信号をＣＰＵ回路部１５０に出力するとともに、ＣＰＵ回路部１５０からの信号に基づき対応する情報を表示部に表示する。
【００３１】
フィニッシャ制御部５０１は、フィニッシャ５００に搭載され、ＣＰＵ回路部１５０と情報のやり取りを行うことによってフィニッシャ全体の駆動制御を行う。この制御内容については後述する。
（操作表示装置）
図３は図１の画像形成装置における操作表示装置４００を示す図である。
【００３２】
操作表示装置４００には、画像形成動作を開始するためのスタートキー４０２、画像形成動作を中断するためのストップキー４０３、置数設定等を行うテンキー４０４〜４１２及び４１４、ＩＤキー４１３、クリアキー４１５、リセットキー４１６等が配置されている。又、上部にタッチパネルが形成された液晶表示部４２０が配置されており、画面上にソフトキーを作成可能となっている。
【００３３】
本画像形成装置では、後処理モードとしてノンソート、ソート、ステイプルソートラップソート（綴じモード）、ホルダーソート（用紙束を包んで排出するモード）等の各処理モードを有する。このような処理モードの設定等は操作表示装置４００からの入力操作により行われる。例えば、後処理モードを設定する際には、図４（ａ）に示す初期画面でソフトキーである「ソータ」を選択すると、図４（ｂ）に示すメニュー選択画面が表示部４２０に表示され、このメニュー選択画面を用いて処理モードの設定が行われる。
（フィニッシャ）
次に、フィニッシャ５００の構成について図５を参照しながら説明する。図５は図１のフィニッシャ５００の構成図である。
【００３４】
フィニッシャ５００は、画像形成装置１０から排出された用紙を順に取り込み、取り込んだ複数の用紙を整合して１つの束に束ねる処理、束ねた用紙束の後端をステイプルで綴じるステイプル処理、用紙束ねた用紙を大きいサイズの用紙で包むラップ折り隣接する一辺をステイプルで留めてホルダーを作成するホルダー作成処理、ソート処理、ノンソート処理などの各シート後処理を行う。このフィニッシャ５００が画像形成装置１０に接続されたとき、反転排紙制御により画像形成面を下向きにして画像形成された用紙が排出され、フィニッシャ５００では、画像形成面を下向きにして供給された用紙に対して、上述の各処理を行う。
【００３５】
フィニッシャ５００は、図５に示すように、画像形成装置１０から排出された用紙を入口ローラ対５０２により内部に取り込み、入口ローラ対５０２により内部に取り込まれた用紙は、搬送ローラ対５０３，５０４，５０５に向けて送られる。入口ローラ対５０２の搬送経路上流には、入口センサ５３１が設けられている。
【００３６】
搬送ローラ対５０５の下流側には、切換フラッパ５１５が配置されている。切換フラッパ５１５は搬送ローラ対５０５により送られてきた用紙をノンソートパス５２１又はソートパス５２２に導くためのフラッパである。
【００３７】
ノンソートパス５２１に導かれた用紙は、排出ローラ対５１０を介してサンプルトレイ７０１上に排紙される。ノンソートパス５２１の途中には、排紙センサ５３３が設けられている。
【００３８】
ソートパス５２２に導かれた用紙は、搬送ローラ対５０６，５０７，５０８に向けて送られる。上述のラップホルダー作成処理を行わない場合は、切換フラッパ８０１によりソート排紙ローラ５０９に向けて送られ、ソート排紙ローラ５０９を介して中間トレイ（以下、処理トレイと言う）６３０上に積載される。ソートパス５２２の途中には、パスセンサ５３５、ソート排紙センサ５３４が設けられている。ソートパスから処理トレイ６３０に導かれた用紙は、ソート排紙センサ５３４を通過するときに枚数をカウントされ、処理トレイ６３０に積載された枚数や、枚数から算出された用紙束の厚みは、その後の処理で使用される。
【００３９】
ラップホルダー作成処理を行う場合は、用紙束を包むための外側の用紙（以降、ラップ用紙と呼ぶ）のみ、切換フラッパ８０１により折りパス５２３の搬送ローラ対８０２に向けて送られる。搬送ローラ対８０２により送られた後、折りローラ対８０３によりラップ用紙の後端側がが半分に折られ、ソート排紙ローラ５０９に向けて送られる。その後、ソート排紙ローラ５０９を介して処理トレイ６３０で停止するに積載され、その後、ソートパスより送られた用紙がラップ用紙上に重ねて積載される。折りローラ対８０３から処理トレイへ向かうパス折られた辺に隣接する一辺にステイプル処理を施されてホルダーが作成される。ソートパス５２２の途中には、ラップソート排紙センサ５３６４が設けられている。又、ラップ用紙を糊付けして留める場合には、糊付けユニット８１０によって糊付けが行われる。
【００４０】
処理トレイ６３０上に束状に積載された用紙は、必要に応じて整合処理、スティプル処理等が施された後に、排出ローラ６８０ａ，６８０ｂによりスタックトレイ７００上に排出される。ラップホルダーソートモードの場合は、処理トレイで作成されたホルダーの内側に整合された用紙束がラップ用紙にが包み込まれ、スタックトレイ７００上に排出される。排出ローラ６８０ｂは、揺動ガイド６５０に支持され、揺動ガイド６５０は揺動ガイドモータ（図示せず）により排出ローラ６８０ｂを処理トレイ６３０上の最上部の用紙に当接させるように揺動する。排出ローラ６８０ｂが処理トレイ６３０上の最上部の用紙に当接された状態にあるときには、排出ローラ６８０ｂは排出ローラ６８０ａと協働して処理トレイ６３０上の用紙束をスタックトレイ７００に向けて排出することが可能である。
【００４１】
上述のスティプル処理は、ステープラ６０１により行われる。ステープラ６０１は、処理トレイ６３０の外周に沿って移動可能に構成され、処理トレイ６３０に積載された用紙束を、用紙搬送方向（図５中左方向）に対して用紙の最後尾位置（後端）で綴じることが可能である。又、ホルダー作成時には、半分に折られた用紙の用紙搬送方向に対して左側（図５中手前側）隣接辺を綴じることが可能である。
（フィニッシャブロック図）
次に、フィニッシャ５００を駆動制御するフィニッシャ制御部５０１の構成について図６を参照しながら説明する。図６は図２のフィニッシャ制御部の構成を示すブロック図である。
【００４２】
フィニッシャ制御部５０１は、図６に示すように、ＣＰＵ５５１、ＲＯＭ５５２、ＲＡＭ５５３等で構成される。図示しない通信ＩＣを介して画像形成装置本体１０側に設けられたＣＰＵ回路部１５０と通信してデータ交換を行い、ＣＰＵ回路部１５０からの指示に基づきＲＯＭ５５２に格納されている各種プログラムを実行してフィニッシャ５００の駆動制御を行う。
【００４３】
入口モータＭ１は、入口ローラ５０２を駆動し、レジストモータＭ５は搬送ローラ対５０３を駆動し、搬送モータＭ２は搬送ローラ対５０３，５０４，５０５，５０６，５０７を駆動し、排紙モータＭ３は、ノンソート排紙ローラ５１０、搬送ローラ対５０８、ソート排紙ローラ５０９を駆動する。又、折りモータＭ４は、搬送ローラ対８０２、折りローラ対８０３を駆動し、ラップモータＭ５は、ラップローラ６０１，６０２を駆動する。揺動ガイドモータＭ１５０は、揺動ガイド６５０を駆動して昇降させ、パドルモータＭ１６０はパドル６６０を駆動する。束排紙モータＭ１８０は、排紙ローラ６８０を駆動する。
（整合動作）
次に、フィニッシャ５００における整合動作について図８〜図１１を参照しながら説明する。図８〜図１１は図５のフィニッシャの処理トレイ６３０上における整合動作を説明するための図である。
【００４４】
画像形成装置１０から最初の用紙が処理トレイ６３０に排出される際には、図８に示すように、ホームポジション（２点鎖線）で待機していた手前及び奥整合部材６４１，６４２が、事前に各々排出される用紙幅に対し若干逃げた位置ＰＳ１１，ＰＳ２１へ移動される。処理トレイ６３０に排出された用紙は、図９に示すように、その後端をストッパ６３１により支持されながら整合部材６４１，６４２間に落下し、排出された用紙の下面が支持面に当接したタイミングで、整合部材６４１はＰＳ１２へ移動させる。この整合部材６４１の移動により用紙は、第１整合位置６９０へ移動されて整合される。
【００４５】
１枚目整合後、図９に示すように、整合部材６４１はＰＳ１１へ移動され、処理トレイ６３０に排出される次の用紙に対して待機する。次の用紙の処理トレイ６３０への排出が完了すると、整合部材６４１は再びＰＳ１２へ移動され、用紙は第１整合位置６９０で整合される。このとき、奥整合部材６４２はＰＳ２２で停止した状態に保持され、整合基準の役割を果たす。
【００４６】
以上の動作が１つの束の最終用紙まで続けられ、１部の用紙束の排出、整合が完了すると、後述の束排出がなされ、スタックトレイ７００へ移送される。
【００４７】
１部目の用紙束がスタックトレイ７００への排出が終了した後、図１０に示すように、整合部材６４１はＰＳ１２からＰＳ１３へ、整合部材６４２はＰＳ２２からＰＳ２３の位置にそれぞれ移動する。続いて２部目の１枚目（先頭）の用紙が処理トレイ６３０に排出された場合、１部目と同様に、用紙の後端をストッパ６３１により支持されながら整合部材６４１，６４２間に下降し、排出された用紙の下面が支持面に当節したタイミングで、整合部材６４２はＰＳ２３からＰＳ２４に移動する。この整合部材６４２の移動により用紙は、第２の整合位置６９１へ移動されて整合される。
【００４８】
２枚目以降、整合部材６４２はＰＳ２３に移動され、処理トレイ６３０に排出される次の用紙に対して待機する。次の用紙の処理トレイ６３０への排出が完了すると、整合部材６４２は再びＰＳ２４へ移動され、用紙は第２整合位置６９１で整合される。このとき、手前整合部材６４１は、ＰＳ１３で停止した状態に保持され、整合基準の役割を果たす。
【００４９】
以上の動作が１つの束の最終用紙まで続けられ、２部目の用紙束の排出、整合が完了すると、後述の束排出がなされ、スタックトレイ７００へ移送される。この第１整合位置６９０は、第２整合位置６９１に対して所定量（距離Ｌ）奥に位置する。
【００５０】
以降、各用紙束毎に交互に整合位置を変えながら整合が行われ、図７に示すように、交互に整合位置を変えた各用紙束がスタックトレイ７００上に積載される。このように、各用紙束毎に交互に整合位置を変えることによって、各用紙束に対してオフセット距離Ｌの仕分けが行われることになる。
【００５１】
又、ホルダーソートモード時においては、ホルダーとして作成される用紙は第２整合位置６９１で、内側に包み込まれる用紙は第１整合位置６９０で整合され、図１に示すように、スタックトレイ７００上に積載される。又、ラップソート時においては、図１１に示すように、手前及び奥整合部材６４１，６４２が、事前に各々排出される用紙幅に対し若干逃げた位置ＰＳ１５，ＰＳ２５へ移動される。
【００５２】
最初に用紙束を包むラップ用紙が停止位置６９５にセットされ、その後、処理トレイ６３０に排出された用紙は、整合部材６４１，６４２間に落下し、排出された用紙の下面が支持面に当接したタイミングで、整合部材６４１はＰＳ１６へ、整合部材６４２はＰＳ２６へ移動させる。この整合部材６４１，６４２の移動により用紙は、整合位置６９２へ移動されて整合される。このとき、ラップ用紙は、整合位置６９２の内側であれば、どの位置にセットされても良い。よって、ラップ用紙の幅（搬送方向に対して垂直方向の長さ）は、用紙束の幅より短くても良い。
【００５３】
１枚目整合後、図１１に示すように、整合部材６４１はＰＳ１５へ、整合部材６４２はＰＳ２５へ移動され、処理トレイ６３０に排出される次の用紙に対して待機する。次の用紙の処理トレイ６３０への排出が完了すると、整合部材６４１及び６４２は、再びＰＳ１６，ＰＳ２６へ移動され、用紙は整合位置６９２で整合される。
【００５４】
以上の動作が１つの束の最終用紙まで続けられ、一部の用紙束の排出、整合が完了すると、停止位置６９５にセットされているラップ用紙で用紙束を包み、後述の束排出がなされ、スタックトレイ７００へ移送される。排出されたときの形態は図１２に示した図のようになる。
（ステイプル動作）
次に、ステープル動作について図１１〜図１４を参照しながら説明する。図１１〜図１４はステイプラ６０１の綴じモード（手前側斜め綴じ、奥側斜め綴じ、２箇所綴じ、ホルダー作成綴じ）に応じた動作状態を説明するための図である。
【００５５】
ステープルモード時、ステープラ６０１は、整合されたシートに対し所望のクリンチ位置で予め待機しており、用紙束の最終用紙の排出、整合が完了すると、ステイプル動作を行う。ステープラ６０１は、用紙束毎のオフセット移動（移動量Ｌ）に同期してオフセット移動を行うように制御される。
【００５６】
又、ステイプラ６０１は、綴じモード（手前側斜め綴じ、奥側斜め綴じ、２箇所綴じ、ホルダー作成綴じ）に応じて向きを変え又移動するように動作する。
【００５７】
２箇所綴じモードでは、例えば、図１１に示すように、各整合位置６９０，６９１において整合された用紙束に対してその後端を２箇所で綴じるスティプル動作が行われる。奥斜め綴じモードでは、図１２に示すように、各整合位置６９０，６９１において整合された用紙束に対してその後端奥側位置を斜めに綴じるスティプル動作が行われる。
【００５８】
手前斜め綴じモードでは、図１３に示すように、各整合位置６９０，６９１において整合された用紙束に対してその後端手前側位置を斜めに綴じるスティプル動作が行われる。尚、各図において、図中の実線が第１整合位置６９０、２点鎖線が第２整合位置６９１を示す。又、このとき、前述のように処理トレイ６３０への排出位置より手前に整合位置がある場合は、奥整合部材６４２が往復移動し、整合基準である手前整合部材６４１側へ用紙を移送する。又、整合位置が排出位置より奥側にあるときは、手前整合部材６４１が往復移動し奥整合部材６４２側に用紙を移送する。
【００５９】
又、ホルダー作成綴じでは、図１４に示すように、整合位置６９１において整合された半分に折られた用紙に対してその手前側を３箇所で綴じるステイプル動作が行われる。
（束排出動作）
次に、ソートモード、ステイプルソートモード及びホルダーソートモード時ラップソートモード時の束排出動作について説明する。
【００６０】
ソートモードの場合、前述の整合動作の終了後に揺動ガイド６５０の降下が始まる。
【００６１】
ステイプルソートモードの場合、前述の整合動作が終了するとステープラ６０１によるステープル動作を開始する。ステープル動作の終了後に、揺動ガイド６５０の降下が始まり、排紙ローラ６８０ｂが用紙束に着地してから、排紙ローラ６８０ｂのバウンドが収まるまでの所定時間を経過させた後に、排紙ローラ６８０ａ，６８０ｂにより用紙束はスタックトレイ７００に排出される。スタックトレイ７００への排出速度制御では、束搬送開始後は用紙束を高速で搬送するが、用紙束の後端が排紙ローラ６８０，６８０ｂの後端を抜ける前には排出速度を減速して、スタックトレイ７００上にシート束を排出する際にスタックトレイ７００上への積載に適した速度になるようにする。
【００６２】
ホルダーソートモードラップソートモードの場合、用紙束がラップ用紙で包まれた後、整合位置６９１にてホルダーが作成された後、揺動ガイド６５０の降下が始まり、排紙ローラ６８０ｂがホルダーに着地してから、排紙ローラ１８０ｂのバウンドが収まるまでの所定時間を経過させた後に、排紙ローラ６８０ａ，６８０ｂによりスタックトレイ７００に排出される。ホルダーが処理トレイ出口付近まで排出される。その後、揺動ガイド６５０は待機位置に戻り、内側に挿入される用紙束が前述の整合動作によって整合された後に、再度降下する。排紙ローラ６８０ｂが用紙束に着地してから、排紙ローラ１８０ｂのバウンドが収まるまでの所定時間を経過させた後に、排紙ローラ６８０ａ，６８０ｂにより用紙束はホルダーの内側に挿入され、そのままスタックトレイ７００に排出される。
（ラップソート時の紙の流れ）
次に、フィニッシャ５００におけるラップソート時の用紙の流れについてノンソートモード、ステイプルソートモード、ソートモード、ホルダーソートモードの各モードに沿って説明する。
（ノンソート動作）
先ず、ノンソートモードの用紙の流れについて図１５を参照しながら説明する。図１５はフィニッシャ５００におけるノンソートモードの用紙の流れを示す図である。
【００６３】
ユーザーが画像形成装置１０において排紙モードの設定をノンソートモードに指定したときには、図１５に示すように、入口ローラ対５０２、搬送ローラ対５０３，５０４，５０５、ノンソート排出ローラ対５１０が回転駆動され、画像形成装置１０から排出された用紙Ｐは、フィニッシャ５００内に取り込まれて搬送される。切換フラッパ５１５は、図示の位置にソレノイド（図示せず）により回転駆動され、用紙Ｐはノンソートパス５２１に導かれる。排紙センサ５３３でシートＰの後端を検知したら、排出ローラ対５０９は、積載に適した速度で回転し、サンプルトレイ７０１に用紙Ｐを排出する。
（ソート、ステイプルソート動作）
次に、ソートモード及びステイプルソートモードの用紙の流れについて図１６及び図７を参照しながら説明する。図１６はフィニッシャ５００におけるラップソート時のソートモード及びステイプルソートモードの用紙の流れを示す図、図１７はフィニッシャ５００のスタックトレイ７００で複数用紙束の積載状態を示す図である。
【００６４】
ユーザーによりソートモード又はステイプルソートモードラップソートモードが指定されると、最初にラップ用紙がセットされ、続いて用紙束が整合された後、ラップ用紙に包まれて排出するという動きとなる。先ず、ラップ用紙がセットされる部分を説明する。
【００６５】
図１３（ａ）に示すように、入口ローラ対５０２、搬送ローラ対５０３，５０４，５０５，５０６，５０７，５０８、ソート排出ローラ対５０９が回転駆動され、画像形成装置１０から排出された用紙Ｐは、フィニッシャ５００内に取り込まれて搬送される。切換フラッパ５１５は、図示の位置に停止しており、用紙Ｐは、ソートパス５２２側に導かれる。ソートパス５２２に導かれた用紙Ｐは、ソート排出ローラ対５０９により処理トレイ６３０に排出される。この排出時、処理トレイ６３０より搬送方向の長さが長い用紙では、上方に突出した出没トレイ６７０により、ソート排出ローラ対５０９で排出された用紙Ｐの垂れ下がり、戻り不良等が防止されるとともに、処理トレイ６３０上の用紙の整列性が向上される。
【００６６】
処理トレイ６３０上に排出された用紙Ｐは、自重で処理トレイ６３０上をストッパ６３１へ向けて移動し始める。この用紙Ｐの移動はパドル６６０等の助勢部材で助勢されるように構成されている。用紙Ｐの後端がストッパ６３１に当接して用紙Ｐが停止すると、上述したように、各整合部材６４１，６４２により排出された用紙の整合が行われる。所定枚数の用紙Ｐが整合されて積載されると、ステイプルソートモードの場合は、上述したステープル動作の後、束排出動作が行われ、用紙Ｐの束はスタックトレイ７００に排出される。ここで、上述したように、画像形成装置１０から排出される用紙は、その画像形成面を下向きにして排出されるから、所定枚数の整合された用紙Ｐの束は、画像形成面を下向きにした先頭ページを最下部としてページ順に上方に積まれた束となる。
（ホルダーソート動作）
次に、ホルダーソートモードの用紙の流れについて説明する。図１７はフィニッシャ５００におけるホルダー作成時の用紙の流れを示す図である。
【００６７】
先ず、ホルダー作成時の折り動作について図１７（ａ）を用いて説明する。
【００６８】
切換フラッパ５１５によって用紙Ｐがソートパス５２２側に導かれるまでは、ソート／ステイプルソートモード時と同じである。ソートパス５２２に導かれた用紙Ｐは、切換フラッパ８０１により折りパス５２３へと導かれる。そして、折りパス５２３に導かれた用紙Ｐは、搬送ローラ対８０２により搬送され折りストッパ８０４に用紙先端が突き当てられるが、搬送ローラ対８０２は回転駆動されているため、用紙Ｐはループが形成される。
【００６９】
更にループが大きくなると、折りローラ対８０３のニップ部へ用紙Ｐが押し込まれ、折りローラ８０３により用紙Ｐの後端側が半分に折られる。このとき、折りストッパ８０４は、折り位置に応じてが用紙サイズの調度中間位置になるように、駆動モータ（不図示）によって移動される。折られた用紙Ｐは、ソート排紙ローラ５０９に向けて送られる。その後ソート排紙ローラ５０９を介して図１３（ａ）のように処理トレイ６３０に移送され、ラップローラ６０２に突き当てられて停止する。積載され、折られた辺に隣接する一辺にステイプル処理を施されてホルダーが作成される。このとき、パドル６６０の回転によって、折られていた部分が開放される。
【００７０】
続いて、 ホルダー排出時の動作について説明する。
【００７１】
作成されたホルダーは、図１７（ｂ）に示したように、排紙ローラ６８０ａ，６８０ｂにより処理トレイ出口付近まで排出される。この排出時、ホルダーの開口部内側に、突出した出没トレイ６７０，６７１が挟み込まれる。その後、ソートモードと同様に内側に包まれる用紙束が整合され、図示した矢印のようにホルダー内に挿入される。この動作によりスタックトレイ７００に排出される。
【００７２】
続いて、用紙束が整合されるまでを説明する。
【００７３】
画像形成装置１０から排出された用紙Ｐは、ソートパス５２２に導かれ、図５に図示した位置に回転駆動された切換フラッパ８０１によって、ソート排出ローラ対５０９により処理トレイ６３０に排出される。このとき、
ソートパスから処理トレイ６３０に導かれた用紙は、ソート排紙センサ５３４を通過するときに枚数をカウントされる。処理トレイ６３０上に排出された用紙Ｐは、パドル６６０等の助勢部材で助勢され、ラップローラ６０２に突き当てられる。そして、各整合部材６４１，６４２により排出された用紙の整合が行われる。
【００７４】
所定枚数の用紙Ｐが整合されて積載されると、図１３（ｂ）に示すように、ラップローラ６０２が矢印の方向に回転し、ラップ用紙は用紙束を覆うように包み込まれる。その後、ラップローラ６０２は、図１３（ｃ）に図示したように退避する。続いて、一端がラップ用紙で包み込まれた用紙束を排出口へ向けて少し移送されると同時に、ラップローラ６０１が飛び出し、図１３（ｃ）に示したように、ラップローラ６０１が矢印の方向に回転し、用紙束はラップ用紙によって、もう一端も包み込まれる。このとき、積載された用紙束の枚数から用紙束の厚みを算出し、ラップローラ６０１，６０２は用紙束を包み込むときの移動位置や移動量を切り替え制御される。その後、束排出動作が行われ、用紙束は、スタックトレイ７００に排出される。
【００７５】
以上のような動作を繰り返すことで、スタックトレイ７００上に図１２に示したような形態の出力束が積載される。
【００７６】
又、ラップ用紙の送り長（搬送方向の長さ）が、包まれる用紙束の送り長（搬送方向の長さ）の２倍より長い場合は、ラップ用紙で包み込んだときに重なりができる。この重なり部分に糊付けを行うことで、図１４に示すような形態の出力束を作成することができる。糊付けを行う場合は、図１３（ｂ）において、ラップローラ６０２が矢印の方向に回転し、ラップ用紙の一端が用紙束を覆うように包み込まれた後、糊付けユニット８１０によってラップ用紙のもう一方の端部に糊付けが行われる。その後、前述したように、ラップローラ６０２が退避し、用紙束を排出口へ向けて少し移送されると同時に、ラップローラ６０１が飛び出し、ラップローラ６０１が矢印の方向に回転すると、糊付けされたラップ用紙の一端が、ラップローラ６０２によって包み込まれたもう一端の上側に折り込まれ、接着される（図１３（ｃ））。
【００７７】
更に、ラップ用紙の幅（搬送方向に対して垂直方向の長さ）が包まれる用紙束の幅（搬送方向に対して垂直方向の長さ）より狭くても良い。この場合の出力束は図１５に示すようになる。
（フィニッシャ制御）
このような各モードに対する制御は、フィニッシャ制御部５０１で行われる。フィニッシャ制御部５０１は、画像形成装置１０のＣＰＵ回路部１５０から指示に基づき設定されたモードを認識してこの設定モードに対して決められた手順に従い各部を駆動制御する。
【００７８】
上記構成を有するシート処理装置（フィニッシャ）の制御処理について説明する。
［動作モード判別処理］
先ず、フィニッシャスタートがオンとなるのを待つ（ステップＳ１）。画像形成装置本体の操作部にある複写開始のスタートキーが押され、フィニッシャの動作をスタートさせる信号が画像形成装置本体から通信用ＩＣを介してフィニッシャ制御部５０１内のＣＰＵ５５１に入力されると、フィニッシャスタートはオン状態となる。そして、ＣＰＵ５５１は入口モータＭ１、レジストモータＭ５、搬送モータＭ２、排紙モータＭ３の駆動を開始する（ステップＳ２）。ここで、フィニッシャをスタートさせる信号がＣＰＵ５５１に入力されない場合、フィニッシャは待機状態となる。
【００７９】
続いて、動作モードを判別し（ステップＳ３）、動作モードがノンソートモードである場合、ノンソート処理を実行する（ステップＳ４）。又、動作モードがソートモード、ステイプルソートモードないしはホルダーソートモードである場合、ソート処理を実行する（ステップＳ５）。
【００８０】
ステップＳ４、ステップＳ５の何れかの処理を終了すると、入口モータＭ１、レジストモータＭ５、搬送モータＭ２、排紙モータＭ３の駆動を止め（ステップＳ６）、ステップＳ１の処理に戻ってフィニッシャは待機状態に戻る。
［ノンソート処理］
このノンソート処理は、前述したステップＳ３でノンソートモードであると判別された場合、ステップＳ４で実行されるものである。ノンソート処理では、先ず、サンプルトレイ７０１にシートＰを導くので、フラッパ５１５を駆動し、ノンソートパス５２１を選択する（ステップＳ１０１）。
【００８１】
フィニッシャスタートがオン状態であるか否かを判別し（ステップＳ１０２）、オン状態である場合、画像形成装置本体から排出されたシートＰは、フィニッシャ内の紙パスに搬入される。搬入されたシートＰは、その先端がパス内に配置されたパスセンサ５３１によって検知されるのを待つ（ステップＳ１０３）。パスセンサ５３１がオンすると、入口モータＭ１により駆動される搬送ローラ対５０２により搬送されるシートＰの後端がパスセンサ５３１を抜けて、パスセンサ５３１がオフになるのを待つ（ステップ１０４）。
【００８２】
パスセンサ５３１がオフになるとステップＳ１０２の処理に戻り、再びフィニッシャスタートがオン状態である場合、同様の処理を継続する。一方、フィニッシャスタートがオフ状態になった場合、全てのシートがサンプルトレイ７０１に排紙されるのを待ち（ステップＳ１０５）、全ての排紙が完了した場合、フラッパ５１５の動作を解除し（ステップＳ１０６）、ノンソート処理を終了する。
［ソート処理］
このソート処理は、前述したステップＳ３でソートモードであると判別された場合、ステップＳ５で実行されるものである。
【００８３】
ソート処理では、処理トレイ６３０にシートＰを導くので、先ずフラッパ５１５を駆動し、ソートパス５２２を選択する（ステップＳ２０１）。
【００８４】
フィニッシャスタートがオン状態であるか否かを判別し（ステップＳ２０２）、オン状態である場合、画像形成装置本体から排出されたシートＰは、フィニッシャ内の紙パスに搬入される。搬入されたシートＰは、その先端がパス内に配置されたパスセンサ５３１によって検知されるのを待つ（ステップＳ２０３）。
【００８５】
パスセンサ５３１がオンすると、ホルダー作成モードであるか否か判断し（ステップＳ２０４）、ホルダー作成モードである場合、ホルダー作成シーケンスを起動する（ステップＳ２０６）。ホルダー作成モードでない場合は、ソート紙シーケンスを起動させ（ステップＳ２０５）、入口モータＭ１により駆動される搬送ローラ対５０２により搬送されるシートＰの後端がパスセンサ５３１を抜けて、パスセンサ５３１がオフになるのを待つ（ステップＳ２０７）。
【００８６】
パスセンサ５３１がオフするとステップＳ２０２の処理に戻り、再びフィニッシャスタートがオン状態であると、同様の処理を繰り返す。一方、フィニッシャスタートがオフ状態になると、全てのシートが処理トレイ６３０に排紙されるのを待ち（ステップＳ２０８）、全て排紙が完了した場合、フラッパ５１５の動作を解除し（ステップＳ２０９）、ソート処理を終了する。
［ソート紙シーケンス処理］
このソート紙シーケンス処理は、前述したソート処理のステップＳ２０５で実行されるものであり、搬送される紙１枚毎に割当てられるものである。又、この処理プログラムは、マルチタスクでＣＰＵ５５１により処理される。
【００８７】
ソート紙シーケンス処理では、処理トレイへの排出完了が確認された後（ステップＳ３０１）、２つの整合部材を用いて紙毎に設定されている紙整合位置で整合を行う（ステップＳ３０２）。この処理トレイへの排出動作時、シートの排出と同時に、シートの搬送方向と略直角方向にシートの整合動作を行い、又、パドルを回転させることで、シートの搬送方向の整合を行う。
【００８８】
その後、後述する束排出動作判別処理を行い（ステップＳ３０３）、処理を終了する。
［束排出動作判別処理］
この束排出動作判別処理は、前述したソート紙シーケンス処理におけるステップＳ３０３で実行されるものである。
【００８９】
束排出動作判別処理では、先ず動作モードがステイプルソートモードであるか否かを判別する（ステップＳ４０１）。ステイプルソートモードでないと判別された場合、処理トレイ６３０に排出された紙が束排出紙であるか否かを判別する（ステップＳ４０２）。束排出紙でないと判別された場合、処理を終了し、前述したソート紙シーケンス処理に戻る。
【００９０】
一方、ステップＳ４０２で処理トレイ６３０に排出された紙が束排出紙であると判別された場合、揺動ガイド６５０を動作させ、処理トレイ６３０上のシート束に束排出上ローラ６８０ｂを当接させる（ステップＳ４０５）。その後、束排出上ローラ６８０ｂのバウンドが収まるのを待ち、束排出上ローラ６８０を所定量駆動し、束排出モータＭ１８０の速度制御を行いながら処理トレイ６３０上のシート束をスタックトレイ７００上に排出する（ステップＳ４０６）。
【００９１】
そして、スタックトレイ７００を昇降させ、スタックトレイ７００への束積載動作を完了させ（ステップＳ４０７）、処理を完了する。
【００９２】
一方、ステップＳ４０１でステイプルソートモードであると判別された場合、処理トレイ６３０に排出された紙が束排出紙であるか否かを判別する（ステップＳ４０３）。束排出紙でないと判別された場合、処理を終了し、前述したソート紙シーケンス処理に戻る。一方、処理トレイ６３０に排出された紙が束排出紙であると判別された場合、ステイプル処理シーケンスに移行する（ステップＳ４０４）。処理トレイ６３０上のシート束のステイプル処理が終了した後、前述したステップＳ４０５に移行し、揺動ガイド６５０の下降動作を行い、前述した束排出動作を行う（ステップＳ４０５〜Ｓ４０７）。この後、処理を終了し、ソート紙シーケンスに復帰する。
［ステイプル処理］
このステイプル処理は、前述した束排出動作判別処理におけるステップＳ４０４で実行されるものである。
【００９３】
ステイプル処理では、先ずステイプラ６０１をステイプル位置へ所定量移動させ（ステップＳ５０１）、手前整合部材６４１及び奥整合部材６４２から成る整合手段６４０により処理トレイ６３０上の束を整合し（ステップＳ５０２）、ステイプル動作を行う（ステップＳ５０３）。
【００９４】
そして、ステイプルが２カ所綴じモードであるか否かを判別し（ステップＳ５０４）、２箇所綴じモードでない場合、手前整合部材６４１及び奥整合部材６４２から成る整合手段６４０による束の整合を解除し（ステップＳ５０７）、ステイプル処理を終了する。
【００９５】
一方、ステップＳ５０４でステイプル２カ所綴じモードである場合、ステイプラ６０１を第２ステイプル位置まで所定量移動させ（ステップＳ５０５）、２箇所目のステイプル動作を行い（ステップＳ５０６）、手前整合部材６４１及び奥整合部材６４２から成る整合手段６４０による束の整合を解除し（ステップＳ５０７）、ステイプル処理を終了する。
［ホルダー作成シーケンス処理］
このホルダー作成シーケンス処理は、前述したソート処理のステップS ２０６で実行されるものであり、ホルダーとして作成される用紙１枚に割当てられるものである。又、この処理プログラムはマルチタスクでＣＰＵ５５１により処理される。
【００９６】
ホルダー作成シーケンス処理では、搬送されたシートＰの先端がパスセンサ５３５によって検知されるのを待つ（ステップＳ６０１）。パスセンサ５３５がオンすると、折りモータＭ４をオンし、フラッパ８０１を駆動して、折りパス５２３を選択する（ステップＳ６０２）。その後、折りローラ対８０３により用紙が半分に折られ、ソート排紙ローラ５０９を介して処理トレイ６３０への排出完了が確認された後（ステップＳ６０３）、折りモータＭ４とフラッパ８０１をオフし（ステップＳ６０４）、２つの整合部材を用いて第２整合位置６９１で整合を行う（ステップＳ６０５）。
【００９７】
次に、ステイプラをステイプル位置へ移動させ、図１４に示したように３箇所にステイプル動作を行う（ステップＳ６０６）。続いて、揺動ガイド６５０を動作させ、処理トレイ６３０上のシート束に束排出上ローラ６８０ｂを当接させる（ステップＳ６０７）。その後、束排出上ローラ６８０ｂのバウンドが収まるのを待ち、束排出上ローラ６８０を所定量駆動し、ホルダーを処理トレイ出口付近まで排出する（ステップＳ６０８）。そして、出没トレイ６７０を突き出し、揺動ガイド６５０を待機位置まで上昇させ（ステップＳ６０９）、処理を終了する。
【００９８】
以上のようにホルダー用紙を作成した後、用紙を上述のソート紙シーケンスによって束整合し、ホルダー用紙の内側に挿入することで、ホルダーソート排出が完了する。
【００９９】
＜実施の形態２＞
以下、実施の形態２について説明する。
【０１００】
本実施の形態では、２枚のラップ用紙を用いて糊付けを行う。前述の実施の形態１では、ラップ用紙１枚で糊付けを行う場合を説明したが、２枚のラップ用紙を用いれば、ラップ用紙の送り長が短く、ラップ用紙の重なりができない場合でも、糊付けを行うことが可能となる。
【０１０１】
以下、前記実施の形態１と構成が異なる部分のみ説明する。
【０１０２】
図１６は２枚のラップ用紙を用いて糊付けを行った場合の出力束の形態を示したものである。
【０１０３】
図１６（ａ）は、用紙束の上にもう１枚の用紙（＝ラップ用紙）を重ね、この用紙の上面に糊付けを行った後に、大きいサイズのラップ用紙で包みこむことによって、出力束を作成した例を示す図である。このときの処理手順は、先ず、大きいラップ用紙を処理トレイ６３０にセットし、続いて、ラップ用紙上に用紙束を積載する。この後、用紙束と同サイズの用紙を第２のラップ用紙として用紙束の上に積載する（図１７（ａ））。そして、糊付けユニット８１１によって、第２のラップ用紙に糊付けする。その後、ラップローラ６０２によって大きいラップ用紙の一端を折って第２のラップ用紙と接着し（図１７（ｂ））、ラップローラ６０２が退避し、用紙束を排出口へ向けて少し移送されると同時に、ラップローラ６０１が飛び出し、ラップローラ６０１が矢印の方向に回転すると、大きいラップ用紙のもう一端が、第２のラップ用紙と接着される（図１７（ｃ））。その後は、前述のように排出される。
【０１０４】
又、図１６（ｂ）は、大きいサイズのラップ用紙で包んでから、その上面に糊付けを行い、更にその上にもう１枚の用紙（＝ラップ用紙）を重ねて出力束を作成した例である。このときの処理手順は、先ず、大きいラップ用紙を処理トレイ６３０にセットし、続いて、ラップ用紙上に用紙束を積載する。この後、ラップローラ６０２，６０１によって大きいラップ用紙の折りこみ動作が行われる。続いて、糊付けユニット８１１によって、大きいラップ用紙の折り込まれた上面に糊付けする。その後、第２のラップ用紙を上に積載する（図１７（ｄ））。これにより、大きいラップ用紙と第２のラップ用紙が接着される。その後は、前述のように排出される。
【０１０５】
本実施の形態では、ホルダー用紙を３点のステイプルによって作成したが、一辺を糊付けして同様に作成しても良い。
【０１０６】
又、ホルダー用紙の表側に、内側に挿入する用紙束の情報等を印字することも可能である。一方、印字を必要としない場合は、フィニッシャ装置内に専用の用紙補給手段を設け、そこから用紙を補給してホルダーを作成するようにしても良い。
【図面の簡単な説明】
【０１０７】
【図１】全体構成図である。
【図２】全体のブロック図である。
【図３】操作表示構成図である。
【図４】表示部を示す図である。
【図５】フィニッシャ構成図である。
【図６】フィニッシャのブロック図である。
【図７】整合動作の説明図である。
【図８】整合動作の説明図である。
【図９】整合動作の説明図である。
【図１０】整合動作の説明図である。
【図１１】整合動作の説明図である。
【図１２】ラップソートの出力形態を示す説明図である。
【図１３】ラップソート時の紙の流れを示す図である。
【図１４】ラップソートの他の出力形態を示す説明図である。
【図１５】ラップソートの他の出力形態を示す説明図である。
【図１６】本発明の実施の形態２におけるラップソートの出力形態を示す説明図である。
【図１７】本発明の実施の形態２におけるラップソート時の紙の流れを示す図である。
【符号の説明】
【０１０８】
１０      画像形成装置
１００    原稿給送装置
２００    イメージリーダ
３００    プリンタ
４００    操作表示装置
５００    フィニッシャ
８０３    折りローラ
８０４    ストッパ
【図１】
2007119085.tif 000003
【図２】
2007119085.tif 000004
【図３】
2007119085.tif 000005
【図４】
2007119085.tif 000006
【図５】
2007119085.tif 000007
【図６】
2007119085.tif 000008
【図７】
2007119085.tif 000009
【図８】
2007119085.tif 000010
【図９】
2007119085.tif 000011
【図１０】
2007119085.tif 000012
【図１１】
2007119085.tif 000013
【図１２】
2007119085.tif 000014
【図１３】
2007119085.tif 000015
【図１４】
2007119085.tif 000016
【図１５】
2007119085.tif 000017
【図１６】
2007119085.tif 000018
【図１７】
2007119085.tif 000019